(57)【特許請求の範囲】
【請求項１】
背凭れと、この背凭れに上下方向に移動可能に支持されるランバーサポート部材とを備える椅子において、
前記背凭れは、左右両側部に、左右方向に開口し、前記ランバーサポート部材の左右側部を脱落不能に、かつ上下方向に移動可能に支持する開口部と、この開口部よりも左右方向の内側に上下方向の摺接面とを備えており、前記ランバーサポート部材は、左右両側部に、前記開口部によって支持される操作支持部と、この操作支持部に連結されて、前記開口部より外側方へ突出し、着座者により把持される把持部材と、前記操作支持部を後方に弾性的に付勢する付勢手段と、後方に突出し、ランバーサポート部材が上下方向に移動するときに、背凭れの前記摺接面に摺接する摺接突部を備えていることを特徴とする椅子。
【請求項２】
ランバーサポート部材における付勢手段が、一端が操作支持部と結合とされ、他端が背凭れの開口部の内壁に当接して弾性変形する遊端部とされるばね部材である請求項１記載の椅子。
【請求項３】
背凭れの開口部が、ランバーサポート部材が上下方向に移動するときに、操作支持部に結合された付勢手段であるばね部材が前記開口部の内壁に当接して上下方向に移動する移動開口部分と、ばね部材が結合された操作支持部が前記開口部に嵌挿される際の嵌挿開口部分とよりなり、嵌挿開口部分は、移動開口部分の上端または下端に連通して設けられており、嵌挿開口部分が、移動開口部分におけるばね部材が当接して上下方向に移動する部分の開口幅よりも大きい開口幅を有する広幅開口部分を備え、かつ操作支持部が移動開口部分から嵌挿開口部分に移動することを防止する移動防止部が、嵌挿開口部分と移動開口部分が連通する部分に、移動開口部分の開口幅よりも小さい開口幅を有する狭幅開口部分を設けることにより、連通部分の開口内壁を部分的に突出させて設けられている請求項１または２記載の椅子
【請求項４】
背凭れにおける摺接面が、ランバーサポート部材が上下方向に移動する際に、ランバーサポート部材の摺接突部が係脱する複数の被係合部を備えている請求項１〜３のいずれかに記載の椅子。
【請求項５】
背凭れにおける複数の被係合部を備える摺接面が、側面視において波状の形状を有することによって形成されている請求項４記載の椅子。
【請求項６】
ランバーサポート部材における操作支持部が、ランバーサポート部材の下部の左右両側部に設けられるとともに、ランバーサポート部材の上部の左右両側部にガイド支持部が設けられ、このガイド支持部が、背凭れの左右両側部に設けられたガイド部により、脱落不能に、かつ上下方向に移動可能に案内支持されている請求項１〜５のいずれかに記載の椅子。
【発明の詳細な説明】
【技術分野】
【０００１】
本願発明は、背凭れと、この背凭れに対し上下方向に移動可能に支持されるランバーサポート部材とを備える椅子に関する。
【背景技術】
【０００２】
背凭れに、着座者の腰部を支持するランバーサポート部材を取付けてなる椅子は、これまで多くの提案がなされ公知である。
着座者の身長は様々であることから、ランバーサポート部材は、特許文献１に記載の発明のように、その上下位置を調整できることが望ましい。
前記発明では、ランバーサポート部材の上下方向の位置を操作するための把持部が、背凭れの左右方向における中央部に設けられている。
【０００３】
また特許文献２および特許文献３記載の発明では、ランバーサポート部材の左右両側部を背凭れの左右側部に支持する構造が開示されている。この構造は、把持部を背凭れの左右両側部に容易に位置させることができるため、着座者がランバーサポート部材を操作する際の操作性の点で優れている。
【先行技術文献】
【特許文献】
【０００４】
【特許文献１】特許第４１３３０６７号公報
【特許文献２】米国特許第６０９９０７Ａ号公報
【特許文献３】欧州特許第１８３６９３２Ｂ１号公報
【発明の概要】
【発明が解決しようとする課題】
【０００５】
特許文献１記載の発明は、ランバーサポート部材を操作するための把持部が、背凭れの左右方向における中央部に設けられていることから、着座者が大きく手を伸ばして把持部を把持しなければならず、操作性に問題がある。
【０００６】
また、特許文献２記載の発明は、ランバーサポート部材が前方に浮き上がりやすく、位置が安定しないという問題がある。
【０００７】
また、特許文献３記載の発明は、ランバーサポート部材の把持部の近傍内側の部位を背凭れと連係させているため、特許文献２記載の発明に比較して、ランバーサポート部材の前方への浮き上がりは若干防止されやすくなっているが、ランバーサポート部材を、上下方向の移動を可能として、かつ積極的に背凭れの方向に向けて支持することは困難な構造となっているため、ランバーサポート部材を背凭れから浮き上がりにくくするという点に関して問題点を解決するに至っていない。
【０００８】
さらに、前記特許文献２、３はいずれも、ランバーサポート部材に対して把持部を挿入する構造が採られているが、この構造は把持部の挿入位置を特定しにくく、作業性にも問題がある。
【０００９】
本願発明は、前記の問題点に鑑み、ランバーサポート部材を背凭れから浮き上がりにくくして移動時の位置を安定させるとともに、望ましくは、その取付作業も容易にすることができる椅子を提供することを目的とする。
【課題を解決するための手段】
【００１０】
本願発明によると、上記課題は、次のようにして解決される。
（１）背凭れと、この背凭れに上下方向に移動可能に支持されるランバーサポート部材とを備える椅子において、前記背凭れは、左右両側部に、左右方向に開口し、前記ランバーサポート部材の左右側部を脱落不能に、かつ上下方向に移動可能に支持する開口部と、この開口部よりも左右方向の内側に上下方向の摺接面とを備えており、前記ランバーサポート部材は、左右両側部に、前記開口部によって支持される操作支持部と、この操作支持部に連結されて、前記開口部より外側方へ突出し、着座者により把持される把持部材と、前記操作支持部を後方に弾性的に付勢する付勢手段と、後方に突出し、ランバーサポート部材が上下方向に移動するときに、背凭れの前記摺接面に摺接する摺接突部を備えているものとする。
【００１１】
このような構成とすると、ランバーサポート部材は、その左右両側部の操作支持部が、背凭れの左右両側部に設けられた開口部によって、脱落不能にかつ上下方向に移動可能に支持されるとともに、前記操作支持部を後方に弾性的に付勢する付勢手段が設けられているため、摺接突部が摺接面に押しつけられ前後位置が安定し、背凭れから前方に浮き上がることが防止される。
【００１２】
（２）上記（１）項において、ランバーサポート部材における付勢手段が、一端が操作支持部と結合とされ、他端が背凭れの開口部の内壁に当接して弾性変形する遊端部とされるばね部材であるものとする。
【００１３】
このような構成とすると、付勢手段が、外付けされるコイルばね等ではなく、操作支持部と一体のばね部材であるため、操作支持部を開口部に挿入する作業により、同時に付勢手段が背凭れに装着されるため取付作業が容易である。
【００１４】
（３）上記（１）項または（２）項において、  背凭れの開口部が、ランバーサポート部材が上下方向に移動するときに、操作支持部に結合された付勢手段であるばね部材が前記開口部の内壁に当接して上下方向に移動する移動開口部分と、ばね部材が結合された操作支持部が前記開口部に嵌挿される際の嵌挿開口部分とよりなり、嵌挿開口部分は、移動開口部分の上端または下端に連通して設けられており、嵌挿開口部分が、移動開口部分におけるばね部材が当接して上下方向に移動する部分の開口幅よりも大きい開口幅を有する広幅開口部分を備え、かつ操作支持部が移動開口部分から嵌挿開口部分に移動することを防止する移動防止部が、嵌挿開口部分と移動開口部分が連通する部分に、移動開口部分の開口幅よりも小さい開口幅を有する狭幅開口部分を設けることにより、連通部分の開口内壁を部分的に突出させて設けられているものとする。
【００１５】
このような構成とすると、ランバーサポート部材の操作支持部を広幅開口部分を有する嵌挿開口部分に嵌挿した後に、ばね部材の弾性変形を利用して容易に移動開口部分に移動して開口部に支持させることができるとともに、ランバーサポート部材を移動開口部分に移動させた後に、操作支持部を移動防止部に当接させた状態で把持部材を操作支持部に挿入させるようにしておけば、移動防止部を目印として把持部材の挿入位置を特定しやすくなり、ランバーサポート部材の背凭れへの取付作業性を向上させることができる。
【００１６】
（４）上記（１）項〜（３）項のいずれかにおいて、背凭れにおける摺接面が、ランバーサポート部材が上下方向に移動する際に、ランバーサポート部材の摺接突部が係脱する複数の被係合部を備えているものとする。
【００１７】
このような構成とすると、背凭れにおける摺接面が、ランバーサポート部材の摺接突部が係脱する複数の被係合部を備えているため、ランバーサポート部材を上下方向に移動させた後に所定の位置に保持させることが容易となり、ランバーサポート部材の位置を安定させることができる。
【００１８】
（５）上記（４）項において、背凭れにおける複数の被係合部を備える摺接面が、側面視において波状の形状を有することによって形成されているものとする。
【００１９】
このような構成とすると、複数の被係合部を備えるとともに、上下方向の移動も円滑に行うことができる摺接面を容易に形成することができる。
【００２０】
（６）上記（１）項〜（５）項のいずれかにおいて、ランバーサポート部材における操作支持部が、ランバーサポート部材の下部の左右両側部に設けられるとともに、ランバーサポート部材の上部の左右両側部にガイド支持部が設けられ、このガイド支持部が、背凭れの左右両側部に設けられたガイド部により、脱落不能に、かつ上下方向に移動可能に案内支持されているものとする。
【００２１】
このような構成とすると、ランバーサポート部材が、その左右両側部における操作支持部とガイド支持部の両者によって支持されているため、その位置が一層安定するとともに、操作支持部がランバーサポート部材の下部の左右両側部に設けられているため、着座者が操作し易い。
【発明の効果】
【００２２】
本願発明によると、ランバーサポート部材が、その操作支持部を後方に弾性的に付勢する付勢手段と、開口部よりも左右方向の内側に設けられた背凭れの摺接面に摺接する摺接突部を備えているため、上下方向への移動時におけるランバーサポート部材の前後方向の位置が制御され、背凭れからの浮き上がりが良好に防止され、移動時の位置が安定する。
また付勢手段が操作支持部と一体化される形態および前記操作支持部が支持される開口部が広幅開口部分と移動防止部を備える形態などの望ましい実施形態においては、ランバーサポート部材の背凭れへの取付作業も容易である。
【図面の簡単な説明】
【００２３】
【図１】本願発明を適用した椅子の右側面図である。
【図２】同じく、正面図である。
【図３】（ａ）、（ｂ）は、それぞれ、背凭れの正面図、右側面図である。
【図４】背凭れとランバーサポート部材の分解斜視図である。
【図５】インナーシェルとガイド部材の正面図である。
【図６】ランバーサポート部材と、背凭れ支持体と、カバー部材と、把持部材の正面図である。
【図７】左右のガイド部材の拡大斜視図である。
【図８】ガイド部材を凹部に取付けた状態を示す斜視図である。
【図９】インナーシェルとランバーサポート部材の部分およびガイド部材の拡大斜視図である。
【図１０】ランバーサポート部材の操作支持部をインナーシェルに取付ける組付形態を分解して示す斜視図である。
【図１１】把持部材をカバー部材に取付ける形態を示す拡大図であり、（ａ）は組付けする前の斜視図、（ｂ）は組付けた状態を示す斜視図である。
【図１２】インナーシェルの右半部分を示す正面図である。
【図１３】（ａ）、（ｂ）、（ｃ）、（ｄ）、（ｅ）、（ｆ）、（ｇ）は、それぞれ図１２におけるａ〜ａ線、ｂ〜ｂ線、ｃ〜ｃ線、ｄ〜ｄ線、ｅ〜ｅ線、ｆ〜ｆ線、ｇ〜ｇ線の縦断側面図である。
【図１４】インナーシェルの右半部分を示す正面図である。
【図１５】（ｈ）、（ｉ）、（ｊ）、（ｋ）、（ｌ）は、それぞれ図１４におけるｈ〜ｈ線、ｉ〜ｉ線、ｊ〜ｊ線、ｋ〜ｋ線、ｌ〜ｌ線の横断平面図である。
【図１６】図１３における（ｂ）の部分拡大図である。
【図１７】同じく図１３における（ｅ）の部分拡大図である。
【図１８】同じく図１３における（ｆ）の部分拡大図である。
【図１９】同じく図１３における（ｇ）の部分拡大図である。
【図２０】図１５における（ｊ）の部分拡大図である。
【図２１】同じく図１５における（ｌ）の部分拡大図である。
【発明を実施するための形態】
【００２４】
以下、本願発明の一実施形態を、図面に基づいて説明する。なお、各図において、左右は椅子を正面視した場合について指称する。
図１は、本願発明を適用した椅子の右側面図、図２は、同じく正面図である。
【００２５】
この椅子は、先端部にキャスタ１を備える放射状をなす５本の脚杆２を有する脚体３と、脚体３の中央に立設された脚柱４と、脚柱４の上端に固着された支基５と、支基５の上方に支持された座６と、前端部が左右方向を向く軸（図示略）をもって支基５の左右に枢着された一対の背凭れ支持フレーム７と、背凭れ支持フレーム７に支持された背凭れ１００とを備えている。
【００２６】
図３の（ａ）、（ｂ）は、それぞれ、背凭れ１００の正面図、右側面図、図４は、背凭れ１００とランバーサポート部材２００の分解斜視図である。
【００２７】
図４に示すように、背凭れ１００は、インナーシェル１１０と、ガイド部材１２０と、背凭れ支持体１３０と、カバー部材１４０と、クッション材１５０と、表皮材１６０とよりなり、これらが後記する形態で組付けられて形成される。
【００２８】
なお、本願の明細書等においては、具体的には、前記背凭れ１００を構成する部材の一部、たとえばインナーシェル１１０を意味する場合にも、その上位概念である背凭れ１００の語句を使用する場合もある。
【００２９】
また、背凭れ１００には、ランバーサポート部材２００が内部に取付けられているが、本明細書においては、ランバーサポート部材２００は、背凭れ１００の概念の中には含ませず、これに対比するものとして説明する。
【００３０】
図５は、インナーシェル１１０とガイド部材１２０の正面図、図６は、ランバーサポート部材２００と、背凭れ支持体１３０と、カバー部材１４０と、把持部材２４０の正面図である。
【００３１】
インナーシェル１１０は、図４、図５に示すように、正面視において、ほぼ縦長方形状をなすとともに、側面視において前向きのく字状をなし、平面視において後向きに凸状のゆるやかな弧状をなしている。
【００３２】
インナーシェル１１０の前面には、左右側端にやや広幅な側縁部１１１、上端に上縁部１１２、下端に下縁部１１３がそれぞれ設けられている。左右の側縁部１１１の間には、３個の縦大リブ１１４ａ、インナーシェル１１０の上半部には３個の横大リブ１１５ａがそれぞれ等間隔に設けられている。側縁部１１１と縦大リブ１１４ａ間、または隣設する縦大リブ１１４ａ間には、それぞれ縦第１小リブ１１４ｂが設けられている。
【００３３】
また、３個の横大リブ１１５ａ間および最下段の横大リブ１１５ａの下には、横第１小リブ１１５ｂがそれぞれ設けられている。さらに、インナーシェルの下半部においては、左右中央の縦大リブ１１４ａを除く縦大リブ１１４ａと縦第１小リブ１１４ｂ間には、縦第２小リブ１１４ｃがそれぞれ設けられている。
【００３４】
これら縦第１小リブ１１４ｂと縦第２小リブ１１４ｃ間には、上下方向の案内突条１１６が設けられている。また、インナーシェル１１０の前面には、その他、適所に傾斜小リブ１１４ｄ、通孔１１４ｅおよび横第２小リブ１１５ｃが設けられている。
【００３５】
インナーシェル１１０の上縁部１１２と最上段の横大リブ１１５ａ間には、オプション部材であるヘッドレスト等を取付けるための４個のボルト挿通孔１１２ａが突設されているが、オプション部材の取付けは、本願発明が直接対象とするものではないので説明を省略する。
【００３６】
下縁部１１３には、インナーシェル１１０に背凭れ支持体１３０を取付ける際に必要なボルト挿通用切欠１１３ａとナット収容部１１３ｂがそれぞれ左右一対設けられているが、これについては後記する。
【００３７】
左右の側縁部１１１には、上半部にやや横長な凹部１１１ａが上下方向に多数設けられ、補強とともに、インナーシェル１１０の前面に配設されるクッション材１５０のずれ防止機能も併せ有している。側縁部１１１の下半部における上部には、縦長の凹部１１１ｂ、１１１ｃ、１１１ｄが横３列に設けられ、外側２列の凹部１１１ｂ、１１１ｃは上下方向に３個に区分され、上段、中段の区分凹部１１１ｂ１、１１１ｂ２、１１１ｃ１、１１１ｃ２は、上下方向にほぼ等しい長寸であるが、下段の区分凹部１１１ｂ３、１１１ｃ３は短寸となっている。内側２列の凹部１１１ｃ、１１１ｄの下方には、上下に離間して、ナット収容部１１１ｅ、１１１ｆが設けられている。これらのナット収容部１１１ｅ、１１１ｆ間には、後記する上下方向の摺接面１１１ｇが設けられている。
【００３８】
側縁部１１１の内側２列の凹部１１１ｃ、１１１ｄには、ガイド部材１２０が取付けられる。
【００３９】
図７は、左右のガイド部材１２０の拡大斜視図、図８は、ガイド部材１２０を前記凹部１１１ｃ、１１１ｄに取付けた状態を示す斜視図、図９は、インナーシェル１１０とランバーサポート部材２００の部分およびガイド部材１２０の拡大斜視図である。
【００４０】
ガイド部材１２０は、図７に示すように、幅狭であって、わずかに前向き凸状に湾曲する上下方向のガイド部１２１と、このガイド部１２１の下方に段部１２２をもって連設されたカバー部１２３と、ガイド部１２１とカバー部１２３の左右方向の外側に連設された断面が長方形状の固定部１２４とよりなる。固定部１２４は、その上端には上向きの上係止部１２５、下端には後方に延びて下向きの係止爪１２６ａを有する下係止部１２６が設けられるとともに、上下に３分割されている。なお、インナーシェル１１０がガイド部を備えるようにするためのガイド部材は、実施例に示すものは一例であり、これに限定されない。ガイド部は、ランバーサポート部材２００のガイド支持部２１０を脱落不能に、かつ上下方向に移動可能に案内支持しうるものであれば、その構造は特に限定されない。さらにガイド部は、インナーシェル１１０の成形時に一体に成形されてもよい。
【００４１】
図１２は、インナーシェル１１０の右半部分を示す正面図であり、図１３の（ａ）、（ｂ）、（ｃ）、（ｄ）、（ｅ）、（ｆ）、（ｇ）は、それぞれ図１２におけるａ〜ａ線、ｂ〜ｂ線、ｃ〜ｃ線、ｄ〜ｄ線、ｅ〜ｅ線、ｆ〜ｆ線、ｇ〜ｇ線の縦断側面図である。また図１６、図１７、図１８、図１９は、それぞれ図１３における（ｂ）、（ｅ）、（ｆ）、（ｇ）の部分拡大図である。
【００４２】
図１４は、インナーシェル１１０の右半部分を示す正面図であり、図１５の（ｈ）、（ｉ）、（ｊ）、（ｋ）、（ｌ）は、それぞれ図１４におけるｈ〜ｈ線、ｉ〜ｉ線、ｊ〜ｊ線、ｋ〜ｋ線、ｌ〜ｌ線の横断平面図である。
なお、図１２、図１４においては、本来は破線で示すべき線も、位置関係を明瞭とするために実線で示してある。
【００４３】
図２０、図２１は、それぞれ図１５における（ｊ）、（ｌ）の部分拡大図である。
【００４４】
図１９に示すように、ガイド部材１２０の固定部１２４が嵌入して固定されるインナーシェル１１０の側縁部１１１の凹部１１１ｃにおける上段凹部１１１ｃ１と下段凹部１１１ｃ３には、それぞれ被係止部１１１ｃ４、１１１ｃ５が設けられている。ガイド部材１２０の固定部１２４を側縁部１１１の凹部１１１ｃに嵌入するとともに、ガイド部材１２０の上段係止部１２５、下段係止部１２６の係止爪１２６ａを、それぞれ被係止部１１１ｃ４、１１１ｃ５に係止させることにより、図８に示す形態でガイド部材１２０が側縁部１１１に取付けられる。この際、ガイド部材１２０の３個に分割された固定部１２４ａ、１２４ｂ、１２４ｃは、それぞれ上段凹部１１１ｃ１、中段凹部１１１ｃ２、下段凹部１１１ｃ３に嵌入される。
【００４５】
一方、図４、図６に示すように、ランバーサポート部材２００は、インナーシェル１１０と近似する左右幅を有するほぼ横長方形状をなし、平面視において後方に凸状のゆるやかな弧状をなすとともに、側面視において前方に凸状のゆるやかな弧状をなしている。
【００４６】
ランバーサポート部材２００の左右両側部には、上部にガイド支持部２１０、下部に操作支持部２２０がそれぞれ外方に向けて設けられている。
【００４７】
前記ガイド支持部２１０はその上下方向の平面が、ランバーサポート部材２００の上下方向の平面と平行であって、かつ上下方向の幅がランバーサポート部材２００よりも小さな幅を有している。
【００４８】
前記ガイド支持部２１０は、図１７に示すように、インナーシェル１１０の前面と、前記したようにして取付けたガイド部材１２０のガイド部１２１の間に配設されることにより、上下方向に移動可能に支持される。
【００４９】
ランバーサポート部材２００の後面には、図４に示すように、上部と下部にそれぞれ４個の摺接部２３０が突設されている。摺接部２３０の遊端には、図９に示すように、上下方向および後方に開口する摺接溝２３０ａが設けられており、インナーシェル１１０に設けられた図５に示した前記案内突条１１６を前記摺接溝２３０ａに遊嵌させて上下方向に摺接しうるようになっている（図２１参照）。
【００５０】
ランバーサポート部材２００をインナーシェル１１０に取付けるには、まず、ランバーサポート部材２００の操作支持部２２０をインナーシェル１１０に取付ける必要がある。以下、これについて述べる。
【００５１】
図１０は、ランバーサポート部材２００の操作支持部２２０をインナーシェル１１０に取付ける組付形態を分解して示す斜視図である。
【００５２】
図４、図１０に示すように、インナーシェル１１０の左右両側部の下部、具体的には左右両側縁部１１１の下部に、左右方向の外方および下方に開口する凹部１１７ａが設けられ、この凹部１１７ａの奥壁１１７ｂに左右方向に開口する上下方向の開口部１１７が設けられている。
【００５３】
この開口部１１７は、図１９に示すように、ランバーサポート部材２００の操作支持部２２０を前記開口部１１７に嵌挿するための嵌挿開口部分１１７ｃと、嵌挿した後に通常の使用時にランバーサポート部材２００を上下方向に移動させる際に、前記操作支持部２２０が脱落不能に、かつ上下方向に移動可能に支持される移動開口部分１１７ｄとを備えている。嵌挿開口部分１１７ｃは、実施形態では移動開口部分１１７ｄの下端に連通して設けられているが、上端に連通して設けてもよい。
【００５４】
嵌挿開口部分１１７ｃは、移動開口部分１１７ｄの開口幅Ｗよりも大きい開口幅Ｌを有する広幅開口部分を備えている。
【００５５】
また、ランバーサポート部材２００の前記操作支持部２２０が移動開口部分１１７ｄから嵌挿開口部分１１７ｃに移動することを防止する移動防止部１１７ｅが設けられている。実施形態においては、嵌挿開口部分１１７ｃと移動開口部分１１７ｄが連通する部分に、移動開口部分１１７ｄの開口幅Ｗよりも小さい開口幅Ｓを有する狭幅開口部分を設けることにより、連通部分の開口内壁を部分的に突出させて移動防止部１１７ｅが形成されている。
【００５６】
一方、ランバーサポート部材２００の操作支持部２２０は、図６、図１０に示すように、左右方向の外方に延出され、基部に前後方向の開口２２１を穿設し、弾性的に湾曲し易い易曲部２２２が形成されているとともに上下端を後方内側に折り曲げて、後記する把持部材２１０の遊端を挿入しうる挿入口２２０ａが形成されている。
【００５７】
操作支持部２２０の前面の遊端近傍には、図１０に示すように、一端が操作支持部２２０と結合され、他端が前方に突出する遊端部２２３ａとなっているばね部材２２３が付設されている。また操作支持部２２０の後面には摺接突部２２４が後方に向けて突設されている。
【００５８】
ランバーサポート部材２００の操作支持部２２０を前記開口部１１７に嵌挿して支持させるには、次のようにする。
【００５９】
まず、ランバーサポート部材２００の左右の操作支持部２２０のいずれか一方、例えば右側の操作支持部２２０を、図１９に示すように、インナーシェル１１０の内側から右側の開口部１１７における嵌挿開口部分１１７ｃの広幅開口部分に嵌挿する。次いでばね部材２２３の遊端部２２３ａを嵌挿開口部分１１７ｃの内壁に当接させた状態で操作支持部２２０を上方に移動させ、ばね部材２２３の弾性変形を利用して狭幅開口部分を通過させて移動開口部分まで移動させる。一旦移動開口部分まで移動された操作支持部２２０は、移動防止部１１７ｅが設けられているため、嵌挿開口部分に移動することが防止されている。
【００６０】
次いでランバーサポート部材２００の左側の操作支持部２２０を、前記した易曲部２２２（図６参照）を利用して適宜湾曲させて、インナーシェル１１０の左側の開口部１１７に同様にして嵌挿させることができる。
【００６１】
インナーシェル１１０の左右両側部における前記開口部１１７の左右方向の内側には、図５、図９に示すように上下方向の前記した摺接面１１１ｇが設けられている。
【００６２】
なお、図９においては、摺接面１１１ｇの近傍を一部破断して示してある。
【００６３】
ランバーサポート部材２００の左右の操作支持部２２０を、前記したようにインナーシェル１１０の左右の開口部１１７にそれぞれ嵌挿して支持させることにより、図１８に示すように、操作支持部２２０の後面に突設された前記摺接突部２２４が、前記摺接面１１１ｇに当接し、ランバーサポート部材２００の上下方向の移動にともなって、摺接面１１１ｇに摺接することとなる。
【００６４】
また、インナーシェル１１０の開口部１１７が設けられた左右の凹部１１７ａには、背凭れ支持体１３０における起立フレーム１３１が下方から嵌合される（図４参照）。
【００６５】
背凭れ支持体１３０は、図４、図６に示すように、正面視においてＵ字状をなしており、横フレーム１３２の左右端に起立フレーム１３１が立設されている。
【００６６】
横フレーム１３２の前面には、左右一対の後方に凹入する連結凹部１３３が設けられ、この各連結凹部１３３には、上方から連結凹部１３３まで貫通するボルト挿通孔１３３ａが各２個穿設されている。
【００６７】
前記連結凹部１３３には、図４に示すように、支基５の左右に枢着された一対の背凭れ支持フレーム７の後端が嵌入され、上方からボルト１３３ｂをボルト挿通孔１３３ａを挿通させて、背凭れ支持フレーム７の後端に設けられためねじ部７ａに締結することにより、背凭れ支持体１３０が背凭れ支持フレーム７に固定される。
【００６８】
背凭れ支持体１３０の起立フレーム１３１には、図１０に示すように、左右方向の外方および下方に開口する凹部１３１ａが設けられ、この凹部１３１ａの奥壁１３１ｂに左右方向に開口する上下方向の開口１３１ｃが設けられている。
【００６９】
前記凹部１３１ａ内における前記開口１３１ｃの上方および下方には、ボルト挿通孔１３１ｄ、１３１ｅが穿設されている。
【００７０】
また横フレーム１３２にも、図６に示すように、連結凹部１３３よりも左右方向の内側に、上下方向の左右一対のボルト挿通孔１３２ａが穿設されている。
【００７１】
インナーシェル１１０を背凭れ支持体１３０に取付けるには次のようにする。
【００７２】
まず、背凭れ支持フレーム７に取付けられた背凭れ支持体１３０に、上方からインナーシェル１１０を、その左右下部の開口部１１７が設けられた凹部１１７ａ内に、背凭れ支持体１３０の起立フレーム１３１を嵌入させるようにして配設する（図４参照）。次いで、図５に示すように、インナーシェル１１０の側縁部１１１に設けられた回り止めした前記のナット収容部１１１ｅ、１１１ｆ、および下縁部１１３に設けられた回り止めした前記のナット収容部１１３ｂに、それぞれ、図４に示すナット１３１ｄ２、１３１ｅ２、１３２ａ２を予め配置する。次いでボルト１３１ｄ１、１３１ｅ１、１３２ａ１を、それぞれ、図１０に示す背凭れ支持体１３０におけるボルト挿通孔１３１ｄ、１３１ｅ、１３２ａ、次いでインナーシェル１１０のボルト挿通孔１１８ａ、１１８ｂ（図１０参照）、ボルト挿通用切欠１１３ｂ（図５参照）に挿通させて、それぞれナット１３１ｄ２、１３１ｅ２、１３２ａ２に締結することにより、インナーシェル１１０が背凭れ支持体１３０に強固に取付けられる。
【００７３】
背凭れ支持体１３０における起立フレーム１３１の凹部１３１ａには、カバー部材１４０が取付けられる。カバー部材１４０は、図６、図１０に示すように、正面視において下部が左右方向の内側下向きに湾曲した形状をなし、上端に上向きの上係止部１４１、下端に左右方向の内側に延びて下向きの係止爪１４２ａを有する下係止部１４２が設けられている。
【００７４】
カバー部材１４０の起立部分には、左右方向に開口する上下方向の開口１４３が設けられている。
【００７５】
図１１は、把持部材２４０をカバー部材１４０に取付ける形態を示す拡大図であり、（ａ）は組付けする前の斜視図、（ｂ）は組付けた状態を示す斜視図である。
【００７６】
なお、カバー部材１４０は破断して一部分のみを示す。
【００７７】
図１０、図１１に示すように、カバー部材１４０の起立部分の横断面から理解されるように、開口１４３における左右方向の内側端には、上半部分に前後方向の内側に向かう一対の内向片１４４が設けられている。
【００７８】
一方、ランバーサポート部材２００の操作支持部２２０に結合される把持部材２４０は、図６、図１０に示すように、把持材２４１と連結金具２４２とよりなる。把持材２４１は、着座者がランバーサポート部材２００の上下位置を調節する際に把持される把持部２４１ａと、把持材２４１を連結金具２４２に連結するための内向突片２４１ｂとよりなる。連結金具２４２は、正面視において横長な板状をなし、中央に円状突起２４２ａが突設されるとともに、遊端近傍に方形状の通孔２４２ｂが穿設されている。把持材２４１における内向突片２４１ｂは、その遊端に連結金具２４２を挿入しうる挿入孔２４１ｃを備えるとともに、正面視において横長方形状をなす。
【００７９】
図１１に示すように、内向突片２４１ｂは、基部の板厚部２４１ｄと、この板厚部２４１ｄから段部をもって薄くなる板薄部２４１ｅを有し、かつこの板薄部２４１ｅにも板厚部２４１ｄの近傍を除いて下半部分に板厚小部２４１ｆが設けられており、その結果として板厚部２４１ｄと板厚小部２４１ｆの間には、上下方向の溝部２４１ｇが形成されている。
【００８０】
板厚部２４１ｄと板厚小部２４１ｆの厚さＷ１はカバー部材１４０の開口１４３の幅Ｗ３よりやや小さく、開口１４３の内向片１４４の縁端間の幅Ｗ４よりも大きくなっている。板薄部２４１ｅの厚さＷ２は、前記内向片１４４の縁端間の幅Ｗ４よりもやや小さくなっている。また板厚小部２４１ｆの上下方向の寸法は、開口１４３の前記内向片１４４の下方に形成されている開口幅Ｗ３を有する下部開口１４３ａの上下方向の寸法よりやや小さくなっている。
【００８１】
板厚小部２４１ｆには円状孔２４１ｈが穿設されている。
【００８２】
把持材２４１の遊端に設けられている挿入孔２４１ｃに、連結金具２４２の基部を挿入し、連結金具２４２の円状突起２４２ａを、把持材２４１の円状孔２４１ｈに嵌合させることにより、図１１に示すように、連結金具２４２は、把持材２４１と連結されて一体となり、把持部材２４０が形成される。
【００８３】
次いで、把持部材２４０をカバー部材１４０の開口１４３に、左右方向の外側から嵌挿し、把持部材２４０の板厚小部２４１ｆを、カバー部材１４０の下部開口１４３ａを通過させて、図１１（ｂ）に示すように、前期溝部２４１ｇに内向片１４４を嵌合させるようにして把持部材２４０を上方に移動させると、把持部材２４０をカバー部材１４０に、左右方向の外方に脱落することがないように装着することができる（図２０参照）。
【００８４】
図１０において、把持部材２４０を挿着したカバー部材１４０を、背凭れ支持体１３０の起立フレーム１３１における凹部１３１ａに取付けるには、次のようにする。前記凹部１３１ａの上部にはカバー部材１４０の上係止部１４１を係止しうる被係止部（図示省略）、背凭れ支持体１３０の横フレーム１３２にはカバー部材１４０の下係止部１４２を係止しうる被係止部（図示省略）がそれぞれ設けられており、カバー部材１４０を左右方向の外側から背凭れ支持体１３０の前記凹部１３１ａに嵌入することにより、把持部材２４０を挿着したカバー部材１４０は、背凭れ支持体１３０に取付けられる。
【００８５】
以上、ランバーサポート部材２００のガイド支持部２１０および操作支持部２２０のインナーシェル１１０への取付手段、ガイド部材１２０のインナーシェル１１０への取付手段、インナーシェル１１０の背凭れ支持体１３０への取付手段、把持部材２４０のカバー部材１４０への装着手段、カバー部材１４０の背凭れ支持体１３０への取付手段について詳細を説明した。
【００８６】
次に、前記取付手段を用いてランバーサポート部材２００をインナーシェル１１０に取付けるとともに、このようにして組立てられた背凭れ１００を背凭れ支持体１３０に取付ける手順について説明する。
【００８７】
まず、ランバーサポート部材２００の下部の左右両側部に設けられた操作支持部２２０を、インナーシェル１１０の下部の左右両側部に設けられた開口部１１７における嵌挿開口部分１１７ｃから嵌挿した後、上方に移動させて、ランバーサポート部材２００を上下方向に移動させるときの通常の位置である移動開口部分１１７ａに位置させる（図１９参照）。これにより、操作支持部２２０は、開口部１１７に脱落不能に、かつ上下方向に移動可能に支持されるとともに、操作支持部２２０は、付勢手段であるばね部材２２３の遊端が移動開口部分１１７ａの内壁に当接して、後方に弾性的に付勢される。
【００８８】
また同時に、前記操作支持部２２０の後面に突設された摺接突部２２４が、インナーシェル１１０の下部の左右両側部における前記開口部１１７よりも左右方向の内側に設けられた摺接面１１１ｇに、ランバーサポート部材２００の上下方向の移動にともなって摺接することとなる。前記摺接面１１１ｇは、前記摺接突部２２４が係脱する複数の被係合部を備えるように、側面視において波状の形状をなしている（図９、図１８参照）。
【００８９】
次に、ランバーサポート部材２００の上部の左右両側部に設けられたガイド支持部２１０を、ガイド部材１２０におけるガイド部１２１によって前方から支持しうるようにして、ガイド部材１２０をインナーシェル１１０の左右両側縁部１１１に設けられた凹部１１１ｂに取付ける。
【００９０】
これにより、前記ガイド支持部２１０は、ガイド部材１２０により、脱落不能に、かつ上下方向に移動可能に支持される（図１７参照）。
【００９１】
また、ランバーサポート部材２００の後面における上部と下部に設けられている摺接部２３０の摺接溝２３０ａに、インナーシェル１１０に設けられている案内突条１１６を嵌入させる。これにより前記摺接部２３０は、ランバーサポート部材２００の上下方向の移動にともなって、案内突条１１６の側面視における前縁部の形状にほぼ沿って摺接し移動することになる。
【００９２】
案内突条１１６は、図１６に示すように、ランバーサポート部材２００の上部摺接部２３１が摺接される上部被摺接部１１６ａと、下部摺接部２３２が摺接される下部被摺接部１１６ｂとを備えている。この上部被摺接部１１６ａまたは下部被摺接部１１６ｂの側面視における前縁部は、上部被摺接部１１６ａまたは下部被摺接部１１６ｂの下端部から上端部に向かうにしたがって、漸次前方に向けて突出する形状とほぼなっている。
【００９３】
背凭れ１００は、着座者の腰を支持する腰支持部１００ａが、側面視において最も前方に突出する形状をなしており（図３参照）、案内突条１１６は前記腰支持部１００ａの部分あるいはその近傍に設けられており、上部被摺接部１１６ａの下端部、または下部被摺接部１１６ｂの上端部の上下方向の位置が背凭れ１００の腰支持部１００ａの位置とほぼ等しくなっている。また、案内突条１１６の側面視における前縁部はガイド部材１２０よりも後方に位置している。
【００９４】
次に、図４に示すクッション材１５０をインナーシェル１１０およびランバーサポート部材２００の前面に配設して後に、予め背凭れの形状に形成されている下端が開口された袋状の表皮材１６０を上方から被せ、表皮材１６０の下端をインナーシェル１１０の下縁部１１２に下方からタッカー止めする。なお、表皮材１６０の左右両側部の下端には、インナーシェル１１０の左右両側部の開口部１１７に整合させた切欠部１６０ａが設けられている。
【００９５】
次に背凭れ支持体１３０を、背凭れ支持フレーム７に取付けた後に、表皮材１６０を被せた背凭れ１００のインナーシェル１１０を、前記背凭れ支持体１３０に取付ける。
【００９６】
次に、把持部材２４０をカバー部材１４０に装着した後に、把持部材２４０における連結金具２４２の遊端を操作支持部２２０の挿入口２２０ａに挿入するとともに、カバー部材１４０を、背凭れ支持体１３０に、その起立フレーム１３１の凹部１３１ａに嵌入させて取付ける。
【００９７】
以上の手順によって、ランバーサポート部材２００を取付けた背凭れ１００は、背凭れフレーム７に取付けられている背凭れ支持体１３０に強固に取付けられる。
【００９８】
また、以上説明した実施形態は、本願発明の代表的な一実施形態を示したものであり、本願発明の趣旨を逸脱しない範囲で、インナーシェルをはじめ各部材の具体的形態などは、適宜の異なる形態に変更することができる。例えば背凭れに備えられた案内突条の側面視における前縁部が、同じく背凭れに備えられたガイド部材よりも前方に位置している形態や、インナーシェルに設けられている案内突条における上部被摺接部または下部被摺接部の側面視における前縁部が、上部被摺接部または下部被摺接部の上端部から下端部に向かうにしたがって、漸次前方に向けて突出する形状とほぼなっている形態等も所望により採用することができる。
【符号の説明】
【００９９】
１  キャスタ
２  脚杆
３  脚体
４  脚柱
５  支基
６  座
７  背凭れ支持フレーム
７ａ  めねじ部
１００  背凭れ
１００ａ  腰支持部
１１０  インナーシェル
１１１  側縁部
１１１ａ  凹部
１１１ｂ  凹部
１１１ｂ１  上段凹部
１１１ｂ２  中段凹部
１１１ｂ３  下段凹部
１１１ｃ  凹部
１１１ｃ１  上段凹部
１１１ｃ２  中段凹部
１１１ｃ３  下段凹部
１１１ｃ４、１１１ｃ５  被係止部
１１１ｄ  凹部
１１１ｅ、１１１ｆ  ナット収容部
１１１ｇ  摺接面
１１２  上縁部
１１２ａ  ボルト挿通孔
１１３  下縁部
１１３ａ  ボルト挿通用切欠
１１３ｂ  ナット収容部
１１４ｅ  通孔
１１４ａ  縦大リブ
１１４ｂ  縦第１小リブ
１１４ｃ  縦第２小リブ
１１４ｄ  傾斜小リブ
１１４ｅ  通孔
１１５ａ  横大リブ
１１５ｂ  横第１小リブ
１１５ｃ  横第２小リブ
１１６  案内突条
１１６ａ  上部被摺接部
１１６ｂ  下部被摺接部
１１７  開口部
１１７ａ  凹部
１１７ｂ  奥壁
１１７ｃ  嵌挿開口部分
１１７ｄ  移動開口部分
１１７ｅ  移動防止部
１１８ａ、１１８ｂ  ボルト挿通孔
１２０  ガイド部材
１２１  ガイド部
１２２  段部
１２３  カバー部
１２４  固定部
１２４ａ  上段固定部
１２４ｂ  中段固定部
１２４ｃ  下段固定部
１２５  上係止部
１２６  下係止部
１２６ａ  係止爪
１３０  背凭れ支持体
１３１  起立フレーム
１３１ａ  凹部
１３１ｂ  奥壁
１３１ｃ  開口
１３１ｄ、１３１ｅ  ボルト挿通孔
１３１ｄ１、１３１ｅ１  ボルト
１３１ｄ２、１３１ｅ２  ナット
１３２  横フレーム
１３２ａ  ボルト挿通孔
１３２ａ１  ボルト
１３２ａ２  ナット
１３３  連結凹部
１３３ａ  ボルト挿通孔
１３３ｂ  ボルト
１４０  カバー部材
１４１  上係止部
１４２  下係止部
１４２ａ  係止爪
１４３  開口
１４４  内向片
１５０  クッション材
１６０  表皮材
１６０ａ  切欠部
２００  ランバーサポート部材
２１０  ガイド支持部
２２０  操作支持部
２２０ａ  挿入口
２２１  開口
２２２  易曲部
２２３  ばね部材（付勢手段）
２２３ａ  遊端部
２２４  摺接突部
２３０  摺接部
２３０ａ  摺接溝
２３１  上部摺接部
２３２  下部摺接部
２４０  把持部材
２４１  把持材
２４１ａ  把持部
２４１ｂ  内向突片
２４１ｃ  挿入孔
２４１ｄ  板厚部
２４１ｅ  板薄部
２４１ｆ  板厚小部
２４１ｇ  溝部
２４１ｈ  円状孔
２４２  連結金具
２４２ａ  円状突起
２４２ｂ  通孔
【図１】
0005855907.tif 000002
【図２】
0005855907.tif 000003
【図３】
0005855907.tif 000004
【図４】
0005855907.tif 000005
【図５】
0005855907.tif 000006
【図６】
0005855907.tif 000007
【図７】
0005855907.tif 000008
【図８】
0005855907.tif 000009
【図９】
0005855907.tif 000010
【図１０】
0005855907.tif 000011
【図１１】
0005855907.tif 000012
【図１２】
0005855907.tif 000013
【図１３】
0005855907.tif 000014
【図１４】
0005855907.tif 000015
【図１５】
0005855907.tif 000016
【図１６】
0005855907.tif 000017
【図１７】
0005855907.tif 000018
【図１８】
0005855907.tif 000019
【図１９】
0005855907.tif 000020
【図２０】
0005855907.tif 000021
【図２１】
0005855907.tif 000022